【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
コンピュータ実装方法であって：
送信者と受信者との間のデータ伝送要求を受信するステップであって、前記要求には、データ伝送に関連するデータ量が含まれる、前記受信するステップと；
前記受信者と前記送信者との間の直接的な信用レベルを判定するステップであって、前記直接的な信用レベルは、前記受信者と前記送信者との間のデータ伝送記録のみに従って、前記受信者と前記送信者との間の関係を数値化する、前記判定するステップと；
前記受信者と前記送信者との間の前記直接的な信用レベルに基づいて、データ伝送保護機構を選択するステップと；
前記選択したデータ伝送保護機構に基づいて前記データ伝送を実行するステップと；を備える、
コンピュータ実装方法。
【請求項２】
前記データ伝送記録は、一定期間中に生じた前記送信者と前記受信者との間の複数の以前のデータ伝送と、前記送信者と前記受信者との間の前記以前のデータ伝送のデータ量を含む、
請求項１に記載のコンピュータ実装方法。
【請求項３】
間接的な信用レベルを判定するステップをさらに備え、
前記間接的な信用レベルは：
一定期間中に前記送信者と前記受信者の両方と以前にデータ伝送を行った第三者を判定すること；及び
前記一定期間中に生じた前記送信者と前記第三者との間の複数の以前のデータ伝送と、
前記送信者と前記第三者との間の前記以前のデータ伝送に関連するデータ量と、
前記一定期間中に生じた前記受信者と前記第三者との間の複数の以前のデータ伝送と、
前記受信者と前記第三者との間の前記以前のデータ伝送に関連するデータ量とに基づいて、前記間接的な信用レベルを判定すること；によって判定される、
請求項２に記載のコンピュータ実装方法。
【請求項４】
全体の信用レベルに基づいてデータ伝送保護機構を選択するステップをさらに備え、
前記全体の信用レベルは、前記直接的な信用レベル及び前記間接的な信用レベルに基づいて判定される、
請求項３に記載のコンピュータ実装方法。
【請求項５】
前記選択したデータ伝送保護機構に基づいて前記データ伝送を実行するステップは；
前記データ量が前記直接的な信用レベル又は前記全体の信用レベルに等しい、又はそれら以下の場合、前記送信者と前記受信者とを認証せずに前記データ伝送を実行するステップと：
前記データ量が前記直接的な信用レベル又は前記全体の信用レベルよりも大きい場合、前記データ伝送の前に前記送信者又は前記受信者の少なくとも一方を認証するステップと；を含む、
請求項４に記載のコンピュータ実装方法。
【請求項６】
前記選択したデータ伝送保護機構に基づいて、前記データ伝送を実行するステップは、前記データ量が前記直接的な信用レベル又は前記全体の信用レベルよりも大きい場合、前記送信者に警告メッセージを送信するステップを含む、
請求項４又は請求項５に記載のコンピュータ実装方法。
【請求項７】
前記データ伝送は、資金移動に関連し、
前記データ量は、前記資金移動に関連する資金量であり、
前記送信者は、支払元であり、
前記受信者は、支払先である、
請求項１〜６のいずれか１項に記載のコンピュータ実装方法。
【請求項８】
請求項１〜７のいずれか１項に記載の方法のステップを実行するために、コンピュータシステムによって実行可能な１つ以上の命令を格納する、
非一時的なコンピュータ読取り可能媒体。
【請求項９】
１台以上のコンピュータと；
前記１台以上のコンピュータと相互運用可能に結合され、前記１台以上のコンピュータによって実行されると請求項１〜７のいずれか１項の方法のステップを実行する命令を格納する有形の非一時的なマシン可読媒体を有する、１つ以上のコンピュータメモリデバイスと；を備える、
コンピュータ実装システム。
【手続補正２】
【補正対象書類名】明細書
【補正対象項目名】００８９
【補正方法】変更
【補正の内容】
【００８９】
上記は単なる本願の実施の形態であり、それを用いて本願を制限するものではない。当業者は、本願に様々な変更及び改造を行うことができる。本願の精神及び原理から逸脱せずになされるあらゆる改変、均等物との置き換え、改良は、本願の請求の範囲に包含されると理解すべきである。
［第１の局面］
データ伝送方法であって：
受信者と送信者との間の信用度を判定するステップと；
前記受信者と前記送信者との間の前記信用度に従って、対応するデータ伝送保護機構を選択するステップと；
前記選択したデータ伝送保護機構の保護下でデータを伝送するステップとを備える；
データ伝送方法。
［第２の局面］
受信者と送信者との間の信用度を判定する前記ステップは、具体的に：
前記受信者と前記送信者との間での記録されたデータ伝送回数及び記録されたデータ伝送量に基づいて、前記受信者と前記送信者との間の第１の信用度を計算するステップを備える；
第１の局面に記載の方法。
［第３の局面］
受信者と送信者との間の信用度を判定する前記ステップは、具体的に：
前記受信者及び前記送信者の両方との間のデータ伝送記録を有する第三者を決定するステップと；
前記受信者と前記第三者との間のデータ伝送回数とデータ伝送量、及び、前記送信者と前記第三者との間のデータ伝送回数とデータ伝送量、に基づいて前記受信者と前記送信者との間の第２の信用度を計算するステップとを備える；
第１の局面に記載の方法。
［第４の局面］
受信者と送信者との間の信用度を判定する前記ステップは、具体的に：
前記受信者と前記送信者との間での記録されたデータ伝送回数及び記録されたデータ伝送量に基づいて、前記受信者と前記送信者との間の第１の信用度を計算するステップと；
前記受信者及び前記送信者の両方との間のデータ伝送記録を有する第三者を決定するステップと；
前記受信者と前記第三者との間のデータ伝送回数とデータ伝送量、及び前記送信者と前記第三者との間のデータ伝送回数とデータ伝送量とに従って、前記受信者と前記送信者との間の第２の信用度を計算するステップと；
前記第１の信用度及び前記第２の信用度に従って、前記受信者と前記送信者との間の総合的な信用度を判定するステップとを備える；
第１の局面に記載の方法。
［第５の局面］
前記第１の信用度及び前記第２の信用度に従って、前記受信者と前記送信者との間の総合的な信用度を判定する前記ステップは、具体的に：
前記第１の信用度及び前記第２の信用度のうち最大値を前記総合的な信用度として採用するステップ、又は前記第１の信用度及び前記第２の信用度との加重和を前記総合的な信用度として採用するステップを備える；
第４の局面に記載の方法。
［第６の局面］
前記受信者と前記送信者との間の前記信用度に従って、対応するデータ伝送保護機構を選択する前記ステップは、具体的に：
前記信用度がゼロである、又はデータ伝送量が前記信用度よりも大きい場合には、チェックを実行し、前記チェックが成功した後にデータを伝送するステップと；
前記データ伝送量が前記信用度よりも大きくない場合には、チェックを実行せずにデータを伝送するステップとを備える；
第１の局面に記載の方法。
［第７の局面］
前記受信者は支払先、前記送信者は支払元、前記データは金額であり；
受信者と送信者との間の信用度を判定する前記ステップは、具体的に：
前記支払先と前記支払元との間の信用貸金額を判定するステップを備える；
第１の局面に記載の方法。
［第８の局面］
前記受信者と前記送信者との間の前記信用度に従って、対応するデータ伝送保護機構を選択する前記ステップは、具体的に：
前記信用貸金額がゼロである場合には、前記支払先に警告を送信し、チェックを実行し、さらに、前記チェックが成功した後に前記金額を送金するステップと；
前記支払金額が前記信用貸金額よりも大きい場合には、支払金額限度超えの警告を送信し、チェックを実行し、さらに、前記チェックが成功した後に前記金額を送金するステップと；
前記支払金額が前記信用貸金額よりも大きくない場合には、チェックを実行せずに前記金額を送金するステップとを備える；
第７の局面に記載の方法。
［第９の局面］
データ伝送方法であって：
送信者のデータ伝送要求を受信するステップと；
データ伝送の受信者と前記送信者との間の信用度を判定するステップと；
前記受信者と前記送信者との間の前記信用度に従って、対応するデータ伝送保護機構を選択するステップと；
前記データ伝送を達成するために、前記データ伝送保護機構の保護を提供するステップとを備える；
データ伝送方法。
［第１０の局面］
前記データ伝送を達成するために前記データ伝送保護機構の保護を提供する前記ステップは、具体的に：
前記信用度がゼロである、又はデータ伝送量が前記信用度よりも大きい場合には、前記送信者に警告を送信し、チェックを実施し、さらに、前記チェックが成功した後にデータを伝送するステップと；
前記データ伝送量が前記信用度よりも大きくない場合には、前記受信者と前記送信者との間の前記信用度を前記送信者に送信し、さらに、チェックを実行せずにデータを伝送するステップとを備える；
第９の局面に記載の方法。
［第１１の局面］
前記受信者は支払先、前記送信者は支払元、前記データは金額であり；
前記受信者と前記送信者の間の信用度を判定する前記ステップは、具体的に：
前記支払先と前記支払元の間の信用貸金額を判定するステップを備える；
第９の局面に記載の方法。
［第１２の局面］
データ伝送方法であって：
データ伝送要求をサーバに送信するステップと；
データ伝送保護機構の保護下にてデータを受信者に伝送するステップとを備え；
前記データ伝送保護機構は、データ伝送の前記受信者と送信者との間の信用度に従って前記サーバにより選択される；
データ伝送方法。
［第１３の局面］
データ伝送保護機構の保護下にてデータを受信者に伝送する前記ステップは、具体的に：
前記信用度がゼロである、又はデータ伝送量が前記信用度よりも大きい場合には、前記サーバが送信した警告を受信し、チェックを実行し、さらに、前記チェックが成功した後にデータを伝送するステップと；
前記データ伝送量が前記信用度よりも大きくない場合には、前記サーバが送信した前記受信者と前記送信者との間の前記信用度を受信し、さらに、チェックを実行せずにデータを伝送するステップとを備える；
第１２の局面に記載の方法。
［第１４の局面］
前記受信者は支払先、前記送信者は支払元、前記データは金額である；
第１２の局面に記載の方法。
［第１５の局面］
データ伝送システムであって：
受信者と送信者との間の信用度を判定するように構成された演算モジュールと；
前記受信者と前記送信者との間の前記信用度に従って、対応するデータ伝送保護機構を選択するように構成された選択モジュールと；
前記選択したデータ伝送保護機構の保護下でデータを伝送するように構成された伝送モジュールとを備える；
データ伝送システム。
［第１６の局面］
受信者と送信者の間の信用度を判定するように構成された前記演算モジュールは、具体的に：
前記受信者と前記送信者との間における記録されたデータ伝送回数と記録されたデータ伝送量とに従って、前記受信者と前記送信者との間の第１の信用度を計算するように構成されている；
第１５の局面に記載のシステム。
［第１７の局面］
受信者と送信者との間の信用度を判定するように構成された前記演算モジュールは、具体的に：
前記受信者及び前記送信者の両方との間のデータ伝送記録を有する第三者を決定し；
前記受信者と前記第三者との間の前記データ伝送回数及びデータ伝送量と、前記送信者と前記第三者との間のデータ伝送回数及びデータ伝送量とに従って、前記受信者と前記送信者との間の第２の信用度を計算するように構成されている；
第１５の局面に記載のシステム。
［第１８の局面］
受信者と送信者との間の信用度を判定するように構成されている前記演算モジュールは、具体的に：
前記受信者と前記送信者との間における前記記録されたデータ伝送回数及び記録されたデータ伝送量に従って、前記受信者と前記送信者との間の第１の信用度を計算し；
前記受信者及び前記送信者の両方との間のデータ伝送記録を有する第三者を決定し；
前記受信者と前記第三者との間におけるデータ伝送回数及びデータ伝送量と、前記送信者と前記第三者との間におけるデータ伝送回数及びデータ伝送量とに従って、前記受信者と前記送信者との間の第２の信用度を計算し；
前記第１の信用度及び前記第２の信用度に従って、前記受信者と前記送信者との間の総合的な信用度を判定するように構成されている；
第１５の局面に記載のシステム。
［第１９の局面］
前記第１の信用度及び前記第２の信用度に従って、前記受信者と前記送信者との間の総合的な信用度を判定するように構成されている前記演算モジュールは、具体的に；
前記第１の信用度及び前記第２の信用度のうちの最大値を前記総合的な信用度として採用する、又は、前記第１の信用度と前記第２の信用度との加重和を前記総合的な信用度として採用するように構成されている；
第１８の局面に記載のシステム。
［第２０の局面］
前記信用度に従って、対応するデータ伝送保護機構を選択するように構成されている前記選択モジュールは、具体的に：
前記信用度がゼロである、又はデータ伝送量が前記信用度よりも大きい場合には、チェックを実行し、前記チェックが成功した後にデータを伝送し；
前記データ伝送量が前記信用度よりも大きくない場合には、チェックを実行せずにデータを伝送するように構成されている；
第１５の局面に記載のシステム。
［第２１の局面］
前記受信者は支払先、前記送信者は支払元、前記データは金額であり；
受信者と送信者との間の信用度を判定するように構成されている前記演算モジュールは、具体的に：
前記支払先と前記支払元との間の信用貸金額を判定するように構成されている；
第１５の局面に記載のシステム。
［第２２の局面］
前記受信者と前記送信者との間の前記信用度に従って、対応するデータ伝送保護機構を選択するように構成されている前記選択モジュールは、具体的に：
前記信用貸金額がゼロである場合には、前記支払先に警告を送信し、チェックを実行し、さらに、前記チェックが成功した後に前記データを伝送し；
前記支払金額が前記信用貸金額よりも大きい場合には、支払金額超え警告を送信し、チェックを実行し、さらに、前記チェックが成功した後に前記金額を送金し；
前記支払金額が前記信用貸金額よりも大きくない場合には、チェックを実行せずに前記金額を送金するように構成されている；
第２１の局面に記載のシステム。
［第２３の局面］
データ伝送システムであって：
送信者のデータ伝送要求を受信するように構成された受信モジュールと；
データ伝送の受信者と前記送信者との間の信用度を判定するように構成された演算モジュールと；
前記受信者と前記送信者との間の前記信用度に従って、対応するデータ伝送保護機構を選択するように構成されたセキュリティモジュールと；
前記データ伝送を達成するために、前記データ伝送保護機構の保護を提供するように構成された伝送モジュールとを備える；
データ伝送システム。
［第２４の局面］
前記伝送モジュールは：
前記信用度がゼロである、又はデータ伝送量が前記信用度よりも大きい場合には、前記送信者に警告を送信し、チェックを実行し、さらに、前記チェックが成功した後にデータを伝送し；
前記データ伝送量が前記信用度よりも大きくない場合には、前記受信者と前記送信者との間の前記信用度を前記送信者に送信し、さらに、チェックを実行することなくデータを伝送するように構成されている；
第２３の局面に記載のシステム。
［第２５の局面］
前記受信者は支払先であり、前記送信者は支払元であり、前記データは金額であり；
前記信用度は前記支払先と前記支払元との間の信用貸金額である；
第２３の局面に記載のシステム。
［第２６の局面］
データ伝送システムであって：
データ伝送要求をサーバに送信し、また、データ伝送保護機構の保護下でデータを受信者に伝送するように構成された伝送モジュールを備え；
前記データ伝送保護機構は、前記サーバにより、データ伝送の前記受信者と送信者との間の信用度に従って選択される；
データ伝送システム。
［第２７の局面］
前記伝送モジュールは：
前記信用度がゼロである、又はデータ伝送量が前記信用度よりも大きい場合には、前記サーバが送信した警告を受信し、チェックを実行し、さらに、前記チェックが成功した後にデータを伝送し；
前記データ伝送量が前記信用度より大きくない場合には、前記サーバが送信した前記受信者と前記送信者との間の前記信用度を受信し、チェックを実行せずにデータを伝送するように構成されている；
第２６の局面に記載のシステム。
［第２８の局面］
前記受信者は支払先、前記送信者は支払元、前記データは金額である；
第２６の局面に記載のシステム。